(57)【要約】【課題】画像読取装置の原稿カバーを開閉する場合等において、高所へ手を伸ばすことが困難な者が操作する場合でも、開閉操作を容易に行うこと等が可能な蓋体開閉機構を提供する。【解決手段】基台１に回動可能に支持された蓋体２を開閉するにあたって、蓋体２に回動可能に支持された把手４と、蓋体２の開閉動作に連動して把手４を回動させる駆動手段とを備えた蓋体開閉機構。駆動手段による把手の駆動を解除する解除手段を備けることもできる。駆動手段を、把手４の回動軸４ａに一体に設けられた第１のギヤ５と、蓋体２に回動可能に支持され、第１のギヤ５と噛合する第２のギヤ６と、第２のギヤ６に一端が固定され、他端が基台に固定されたリンク１０とで構成し、蓋体２の開閉動作に連動してリンク１０を介して第２のギヤ６が回動することにより、第１のギヤ５を介して把手４を回動させることができる。【選択図】  図１
2005024574.tif 000002
【特許請求の範囲】
【請求項１】
基台に回動可能に支持された蓋体を開閉する機構であって、
前記蓋体に回動可能に支持された把手と、
前記蓋体の開閉動作に連動して前記把手を回動させる駆動手段とを備えたことを特徴とする蓋体開閉機構。
【請求項２】
前記駆動手段による前記把手の駆動を解除する解除手段を備えたことを特徴とする請求項１記載の蓋体開閉機構。
【請求項３】
前記駆動手段は、
前記把手の回動軸に一体に設けられた第１のギヤと、
前記蓋体に回動可能に支持され、前記第１のギヤと噛合する第２のギヤと、
該第２のギヤに一端が固定され、他端が前記基台に固定されたリンクとで構成され、
前記蓋体の開閉動作に連動して前記リンクを介して前記第２のギヤが回動することにより、前記第１のギヤを介して前記把手が回動することを特徴とする請求項１または２記載の蓋体開閉機構。
【請求項４】
前記駆動手段は、
前記把手の回動軸に一体に設けられた第１のギヤと、
前記蓋体に回動可能に支持され、前記第１のギヤと噛合する第２のギヤと、
前記蓋体に回動可能に支持され、前記第２のギヤと噛合する第３のギヤと、
前記基台に対して前記蓋体を回動可能に支持する回動軸に一体に設けられた第４のギヤと、
前記蓋体に回動可能に支持され、前記第４のギヤと噛合する第５のギヤと、
該第５のギヤの回動軸に一体に固定された第１のプーリーと、
前記第３のギヤの回動軸に一体に固定された第２のプーリーと、
前記第１のプーリーと第２のプーリーとの間に帳設されたベルトまたはワイヤーとで構成され、
前記蓋体の開閉動作に連動して前記第４のギヤが回動することにより、前記第５のギヤ、前記第１のプーリー、前記ベルトまたはワイヤー、前記第２のプーリー、前記第３のギヤ、前記第２のギヤ、前記第１のギヤを介して前記把手が回動することを特徴とする請求項１または２記載の蓋体開閉機構。
【請求項５】
前記解除手段は、前記第１のギヤと、前記第２のギヤとの噛合状態を解除することを特徴とする請求項３または４記載の蓋体開閉機構。
【請求項６】
前記基台は、画像読取装置の原稿載置台であって、前記蓋体は、前記原稿載置台に載置された原稿を覆う原稿カバーであることを特徴とする請求項１乃至５のいずれかに記載の蓋体開閉機構。
【発明の詳細な説明】
【０００１】
【発明の属する技術分野】
本発明は、蓋体開閉機構に関し、特に、複写機等の画像読取装置の原稿カバー等の蓋体を開閉する機構に関する。
【０００２】
【従来の技術】
従来の複写機等の画像読取装置では、図１０に示すように、プラテンガラス５１にセットした読取対象としての図示しない原稿の浮き上りを防止するため、原稿カバー５２によって上方から原稿をプラテンガラス５１に押さえ付けている。
【０００３】
この原稿カバー５２は、支点部５３で支持され、この支点部５３を中心として原稿カバー５２が回動することによって開閉する。そのため、操作者は、プラテンガラス５１上に原稿をセットしたり、原稿のセットを解除するため、原稿カバー５２を開閉する必要がある。そこで、原稿カバー５２の開閉操作を円滑に行うため、原稿カバー５２の前方に把手５４が設けられ、この把手５４は、原稿カバー５２に固定されている。
【０００４】
【発明が解決しようとする課題】
しかし、上記、従来の画像読取装置においては、把手５４が原稿カバー５２に固定されているため、原稿カバー５２の開閉動作に伴う上下方向の高さ変化が大きく、図１１に示すように、車椅子の使用者５５等、高所へ手を伸ばすことが困難な者が操作する場合には、手が把手５４に届き難く、原稿カバー５２の開閉操作が容易ではないという問題があった。
【０００５】
そこで、本発明は、上記従来の画像読取装置の原稿カバー等における問題点に鑑みてなされたものであって、高所へ手を伸ばすことが困難な者が操作する場合でも開閉操作を容易に行うこと等を可能とする蓋体開閉機構を提供することを目的とする。
【０００６】
【課題を解決するための手段】
上記目的を達成するため、請求項１記載の発明は、基台に回動可能に支持された蓋体を開閉する蓋体開閉機構であって、前記蓋体に回動可能に支持された把手と、前記蓋体の開閉動作に連動して前記把手を回動させる駆動手段とを備えたことを特徴とする。
【０００７】
そして、請求項１記載の発明によれば、蓋体の開閉動作に連動して駆動手段を介して把手を回動させることができるため、蓋体の開閉動作によって蓋体と基台との間の距離が大きくなったような場合でも、蓋体に回動可能に支持された把手によって基台に対する距離を縮めることが可能となり、操作性の良い蓋体開閉機構を提供することができる。
【０００８】
請求項２記載の発明は、請求項１記載の蓋体開閉機構において、前記駆動手段による前記把手の駆動を解除する解除手段を備えたことを特徴とする。
【０００９】
請求項２記載の発明によれば、解除手段によって駆動手段による把手の駆動を解除することができるため、把手の回動動作が不要な場合にも容易に対応することができる。
【００１０】
請求項３記載の発明は、請求項１または２記載の蓋体開閉機構の好ましい一形態として、前記駆動手段は、前記把手の回動軸に一体に設けられた第１のギヤと、前記蓋体に回動可能に支持され、前記第１のギヤと噛合する第２のギヤと、該第２のギヤに一端が固定され、他端が前記基台に固定されたリンクとで構成され、前記蓋体の開閉動作に連動して前記リンクを介して前記第２のギヤが回動することにより、前記第１のギヤを介して前記把手が回動することを特徴とする。
【００１１】
請求項４記載の発明は、請求項１または２記載の蓋体開閉機構の好ましい一形態として、前記駆動手段は、前記把手の回動軸に一体に設けられた第１のギヤと、前記蓋体に回動可能に支持され、前記第１のギヤと噛合する第２のギヤと、前記蓋体に回動可能に支持され、前記第２のギヤと噛合する第３のギヤと、前記基台に対して前記蓋体を回動可能に支持する回動軸に一体に設けられた第４のギヤと、前記蓋体に回動可能に支持され、前記第４のギヤと噛合する第５のギヤと、該第５のギヤの回動軸に一体に固定された第１のプーリーと、前記第３のギヤの回動軸に一体に固定された第２のプーリーと、前記第１のプーリーと第２のプーリーとの間に帳設されたベルトまたはワイヤーとで構成され、前記蓋体の開閉動作に連動して前記第４のギヤが回動することにより、前記第５のギヤ、前記第１のプーリー、前記ベルトまたはワイヤー、前記第２のプーリー、前記第３のギヤ、前記第２のギヤ、前記第１のギヤを介して前記把手が回動することを特徴とする。
【００１２】
請求項５記載の発明は、請求項３または４記載の蓋体開閉機構の好ましい一形態として、前記解除手段は、前記第１のギヤと、前記第２のギヤとの噛合状態を解除することを特徴とする。これによって、簡単な操作により、把手の駆動を解除することができる。
【００１３】
請求項６記載の発明は、請求項１乃至５のいずれかに記載の蓋体開閉機構において、前記基台は、画像読取装置の原稿載置台であって、前記蓋体は、前記原稿載置台に載置された原稿を覆う原稿カバーであることを特徴とする。
【００１４】
請求項６記載の発明によれば、複写機等の画像読取装置の原稿カバーが開閉する際に、把手が回動することにより、把手の位置が上下方向に変化する量を小さくすることができるため、車椅子使用者等の様な高所へ手を伸ばすことが困難な操作者等であっても容易に操作することができる。
【００１５】
【発明の実施の形態】
次に、本発明の実施の形態について図面を参照しながら詳細に説明する。
【００１６】
図１は、本発明にかかる蓋体開閉機構の一実施の形態を示し、この蓋体開閉機構は、複写機等の画像読取装置に適用されたものであって、基台としての原稿載置台１に回動可能に支持された蓋体としての原稿カバー２を開閉するものである。
【００１７】
原稿カバー２の内部の先端側には、把手４と、ギヤ５及びギヤ６によって構成される把手部１１が位置し、他端には、ヒンジ部３、カバー開閉支軸８及びリンク回動支軸９によって構成される駆動部１２が存在する。そして、把手部１１と駆動部１２とは、リンク１０により連結されている。
【００１８】
把手部１１において、把手４は、回動軸４ａによって原稿カバー２に回動可能に設けられる。ギヤ５と把手４とは、回動軸４ａによって結合され、一体的に回動する。ギヤ６は、ギヤ５に噛合するように原稿カバー２に設けられる。
【００１９】
駆動部１２には、ヒンジ部３が原稿載置台１に固定され、このヒンジ部３は、原稿カバー２をカバー開閉支軸８を介して回動可能に支持する。また、リンク１０の一端がリンク回動支軸９を介してヒンジ部３に回動可能に支持される。リンク１０の他端は、ギヤ６に連結されている。リンク回動支軸９は、原稿カバー２のカバー開閉支軸８の下方に位置し、これら２点間の距離は、ギヤ６の回動中心と、リンク１０のギヤ６への取付位置との間の距離に等しい。
【００２０】
次に、上記構成を有する蓋体開閉機構の動作について、図面を参照しながら説明する。
【００２１】
原稿カバー２を開ける際、図３において原稿カバー２を矢印Ａ方向に回動させると、原稿カバー２は、図１及び図２に示すように、カバー開閉支軸８を中心に回動する。この原稿カバー２の回動動作により、原稿カバー２のカバー開閉支軸８と、リンク回動支軸９と、ギヤ６に連結したリンク１０の一端の位置関係から、ギヤ６が矢印Ｂ方向に回動する。さらに、ギヤ６は噛み合っているギヤ５を矢印Ｃ方向に回動させる。これにより、ギヤ５と同一の回動軸４ａで結合している把手４が矢印Ｄ方向に回動し、原稿カバー２の内部から飛び出す。
【００２２】
一方、原稿カバー２が図３の状態から再び図１の状態に戻る際、図４において原稿カバー２を矢印Ｅ方向に回動させると、上記の各構成部品が逆方向に動作し、把手４が矢印Ｆ方向に回動し、原稿カバー２が閉まる直前には、図５に示すように、把手４は、原稿カバー２の内部へ収納される。
【００２３】
以上説明したように、本実施の形態では、把手４が原稿カバー２に固定されず、原稿カバー２の開閉動作に連動して回動するため、閉じている原稿カバー２を開く場合には、従来と同様の操作を行うことができるとともに、開いている原稿カバー２を閉じる場合には、原稿カバー２から把手４が飛び出して原稿載置台１との距離を縮めるため、原稿カバー２の開閉動作に伴う上下方向の高さ変化が小さくなり、車椅子の使用者等、高所へ手を伸ばすことが困難な者が操作する場合でも、手が把手４に届き易くなり、原稿カバー２の開閉操作を容易に行うことができる。
【００２４】
次に、本発明にかかる蓋体開閉機構の第２の実施の形態について、図６、図７及び図８を参照しながら説明する。
【００２５】
本実施の形態においては、切り替えレバー２１が原稿カバー２に設けられたガイド２２に取り付けられ、この切り替えレバー２１は、ガイド２２に沿って矢印Ｇ方向へ移動可能に構成される。また、切り替えレバー２１の上部は、ギア６の回動軸６ａに接している。そして、ギヤ６の回動軸６ａは、原稿カバー２に穿設されたギヤ移動溝２３に、矢印Ｈ方向に移動可能に挿入される。さらに、把手４の回動軸４ａの外周には、ねじりコイルばね２４が巻回される。ねじりコイルばね２４の一端２４ａは、原稿カバー２に固定され、他端２４ｂは、把手４またはギヤ５に固定される。
【００２６】
次に、上記構成を有する蓋体開閉機構の動作について、図６乃至図８を参照しながら説明する。
【００２７】
本発明にかかる把手４の移動を必要としない場合には、図８に示した切り替えレバー２１を矢印Ｇ方向に操作することで、ギヤ６をギヤ移動溝２３に沿って矢印Ｈ方向に移動させてギヤ５から切り離し、ギヤ６の回動動作がギヤ５へ伝達されないようにする。このとき、把手４は、常に把手４を図２の矢印Ｄ方向に回転させない方向に力が働いているねじりコイルばね２４によって引き上げられ、自重落下によって矢印Ｄ方向へ回動することを防止することができる。
【００２８】
次に、本発明にかかる蓋体開閉機構の第３の実施の形態について、図９を参照しながら説明する。
【００２９】
本実施の形態では、図１及び図２に示した蓋体開閉機構におけるリンク１０の代わりにベルト（またはワイヤー）３１を使用し、把手４の回動軸４ａに一体に設けられるギヤ５と、原稿カバー２に回動可能に支持され、ギヤ５と噛合するギヤ３５と、原稿カバー２に回動可能に支持され、ギヤ３５と噛合するギヤ３７と、原稿載置台１のカバー開閉支軸８に一体に設けられたギヤ３２と、原稿カバー２に回動可能に支持され、ギヤ３２と噛合するギヤ３３とを備え、ギヤ３７と同一軸に設けられたプーリー３６と、ギヤ３３と同一軸に設けられたプーリー３４との間にベルト３１が帳設される。
【００３０】
次に、上記構成を有する蓋体開閉機構の動作について図９を参照しながら説明する。
【００３１】
原稿カバー２を開ける際、原稿カバー２を矢印Ｉ方向に回動させると、原稿カバー２は、カバー開閉支軸８を中心に回動する。カバー開閉支軸８は、原稿カバー２とともに回動するため、ギア３２もカバー開閉支軸８とともに回動する。ギヤ３２が回動すると、これに噛み合っているギヤ３３が回動し、プーリー３４が回動する。プーリー３４の回動により、ベルト３１を介してプーリー３６も回動し、さらに、ギヤ３７、ギヤ３５、ギヤ５が矢印で示す方向に回動し、これによって、把手４が矢印Ｊ方向に回動し、原稿カバー２の内部から飛び出し、第１の実施の形態と同様の作用効果を得ることができる。
【００３２】
【発明の効果】
以上説明したように、本発明によれば、画像読取装置の原稿カバーを開閉する場合等において、高所へ手を伸ばすことが困難な者が操作する場合でも、開閉操作を容易に行うこと等が可能な蓋体開閉機構を提供することができる。
【図面の簡単な説明】
【図１】本発明にかかる蓋体開閉機構の一実施の形態を示す一部破断側面図である。
【図２】本発明にかかる蓋体開閉機構の一実施の形態を示す一部破断側面図である。
【図３】図１の蓋体開閉機構において、カバーを閉じる際またはカバーが開いた状態における把手の位置を示す概略側面図である。
【図４】図１の蓋体開閉機構において、カバーの開閉途中の把手の位置を示す概略側面図である。
【図５】図１の蓋体開閉機構において、カバーを開ける際またはカバーが閉じる直前の状態における把手の位置を示す概略側面図である。
【図６】本発明にかかる蓋体開閉機構の第２の実施の形態を示す側断面図である。
【図７】図６の矢視Ｘ図である。
【図８】図６の蓋体開閉機構における把手の不可動状態（切り離し時）を示す概略側面図である。
【図９】本発明にかかる蓋体開閉機構の第３の実施の形態を示す側断面図である。
【図１０】従来の画像読取装置の一例を示す概略斜視図である。
【図１１】従来の画像読取装置と、車椅子の使用者との位置関係を示す概略側面図である。
【符号の説明】
１            原稿載置台
２            原稿カバー
３            ヒンジ部
４            把手
４ａ        回動軸
５            ギヤ
６            ギヤ
６ａ        回動軸
８            カバー開閉支軸
９            リンク回動支軸
１０        リンク
１１        把手部
１２        駆動部
２１        切り替えレバー
２２        ガイド
２３        ギア移動溝
２４        ねじりコイルばね
２４ａ    （ねじりコイルばねの）一端
２４ｂ    （ねじりコイルばねの）他端
３１        ベルト（またはワイヤー）
３２        ギヤ
３３        ギヤ
３４        プーリー
３５        ギヤ
３６        プーリー
３７        ギヤ
【図１】
2005024574.tif 000003
【図２】
2005024574.tif 000004
【図３】
2005024574.tif 000005
【図４】
2005024574.tif 000006
【図５】
2005024574.tif 000007
【図６】
2005024574.tif 000008
【図７】
2005024574.tif 000009
【図８】
2005024574.tif 000010
【図９】
2005024574.tif 000011
【図１０】
2005024574.tif 000012
【図１１】
2005024574.tif 000013